(57)【特許請求の範囲】
【請求項１】
流体が流れる通路の途中に設けられた弁座と、前記弁座と当接および離間可能に設けられ前記通路の開閉を制御する弁体と、前記弁座の下流に設けられた噴孔体とを備え、前記噴孔体に配置された複数の噴孔群から流体を噴射し複数の噴霧群を生成する流体噴射弁であって、
前記複数の噴孔群の各々は、互いに近接して配置された複数の噴孔を有し、前記複数の噴孔群の少なくとも一つは、流体噴射方向に直角な面内の断面形状において長軸と短軸の長さが異なるスイッチング噴霧を生成するスイッチング噴孔を少なくとも一つ含み、
前記スイッチング噴孔は、前記短軸に対して前記長軸が略線対称なスイッチング噴霧を生成するように、その噴孔径、長さ、および傾きを含む噴孔仕様が設定され、前記スイッチング噴孔により生成されるスイッチング噴霧は、該スイッチング噴孔から所定の距離でアクシス−スイッチング現象を生じることにより前記長軸と前記短軸の方向を変化させ、該変化を生じた後は、該スイッチング噴孔と同じ前記噴孔群に属する別の前記噴孔により生成される噴霧との間でコアンダ効果による集合化が生じるように制御され、
前記スイッチング噴孔を含む前記噴孔群に属する前記複数の噴孔は、少なくとも前記スイッチング噴孔により生成されるスイッチング噴霧がアクシス−スイッチング現象を生じるまでは、前記複数の噴孔により生成される各噴霧にコアンダ効果が作用しないように、前記複数の噴孔の間隔および噴孔仕様が設定されることを特徴とする流体噴射弁。
【請求項２】
前記噴孔体は、前記弁座と一体的に形成されており、前記スイッチング噴孔は、流体噴射方向に相当する噴孔軸に直角な断面形状が長軸と短軸を有する形状であることを特徴とする請求項１記載の流体噴射弁。
【請求項３】
前記スイッチング噴孔は、前記噴孔体の板厚方向に直角な断面形状が長軸と短軸を有する形状であることを特徴とする請求項１または請求項２に記載の流体噴射弁。
【請求項４】
前記スイッチング噴孔を含む前記噴孔群において、該噴孔群に属する前記複数の噴孔により生成される各噴霧は、少なくとも前記スイッチング噴孔により生成されるスイッチング噴霧がアクシス−スイッチング現象を生じるまでは、隣接する噴霧との近接化を誘起するコアンダ効果が互いに作用しない流速、粒径、および粒子数密度に設定されることを特徴とする請求項１記載の流体噴射弁。
【請求項５】
前記スイッチング噴孔を含む前記噴孔群とこの噴孔群に隣接する別の前記噴孔群は、少なくとも前記スイッチング噴孔により生成されるスイッチング噴霧がアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定されることを特徴とする請求項４記載の流体噴射弁。
【請求項６】
前記スイッチング噴孔により生成されるスイッチング噴霧は、同じ前記噴孔群に属する別の前記噴孔により生成される噴霧との近接化または集合化により、複数の噴霧群からなる全体噴霧の噴霧方向に直角な断面形状、または全体噴霧の貫徹力分布、または全体噴霧の噴霧方向に直角な噴射量分布を制御されることを特徴とする請求項１から請求項５のいずれか一項に記載の流体噴射弁。
【請求項７】
請求項１から請求項６のいずれか一項に記載の流体噴射弁と、前記流体噴射弁に流体を供給する流体供給手段と、前記流体噴射弁の動作を制御する制御手段とを備えたことを特徴とする噴霧生成装置。 
【発明の詳細な説明】
【技術分野】
【０００１】
本発明は、複数の噴孔から流体を噴射し噴霧を生成する流体噴射弁およびこれを備えた噴霧生成装置に関する。
【背景技術】
【０００２】
近年、車両用エンジンにおいては、燃料噴霧の微粒化によるエンジン冷機時の排出ガス低減や、燃焼性改善による燃費向上の研究開発が積極的に進められている。特に、燃焼室内に燃料を直接噴射するマルチホールインジェクタを搭載した火花点火式直噴エンジンにおける成層燃焼コンセプトの研究開発が知られている。
【０００３】
このようなエンジンにおける燃料噴霧は、点火プラグ近傍を指向する噴霧と、点火プラグ近傍を指向しない噴霧とで構成されており、前者は特に点火プラグ付近での成層燃焼を実現し、後者は成層燃焼や均質燃焼での燃焼室内全体の混合気形成を実現する役割をもっている。
【０００４】
燃焼室中心部に点火プラグが装着され、吸気弁を跨いだ位置に燃料噴射弁としてのマルチホールインジェクタが装着される場合、点火プラグとマルチホールインジェクタは対向していない。このため、点火プラグ近傍を指向する噴霧と、点火プラグ近傍を指向しない噴霧とに要求される噴霧仕様は異なってくる。つまり、エンジンの低速低負荷で成層燃焼を行う場合と、高速高負荷で均質燃焼を行う場合とでは、要求される噴霧仕様は異なる。また、燃焼室の形状、筒内空気流動やインジェクタ取り付け位置や方向が異なれば、マルチホールインジェクタの噴霧数を含め各々の噴霧への要求仕様は異なるものとなる。
【０００５】
一方、噴霧の微粒化のプロセスにおいて、液滴を小さくするためには、その分裂の前段階である液糸を細くすることが有効である。液糸を細くするためには、液糸の分裂の前段階である液膜を薄くしたり液柱を細くしたりすることが有効であり、液膜の方がより液柱よりも有利であることが分かっている。また、液膜流形成手法として、噴孔に流入する前の燃料流に旋回流を与えて噴孔内に液膜流を形成する方法が知られている。
【０００６】
本願発明者は、これらの液膜流形成手法や微粒化プロセス、さらに、それらをベースとして複数の単噴霧が集合した集合噴霧の噴霧形状、貫徹力、噴射量分布の出来映えの関係を調査検討した結果、単噴霧が集合した集合噴霧において、次の二つの形態に分けられることを見出している。
【０００７】
一つは、各単噴霧が識別可能であり、かつ各単噴霧の特徴がほぼ識別不可能な集合噴霧になる場合である。これは、比較的均質に近い中実構造の集合噴霧であり、各単噴霧を識別可能ではあるが、集合噴霧と共通的な特徴を示す噴霧となっており、中途半端でコントロールし難い噴霧である。
【０００８】
もう一つは、各単噴霧の識別さえも不可能となる集合噴霧になる場合である。これは、噴射量分布が中心ピークの円錐形状となるものを代表例とする集合噴霧であり、複数の単噴霧が集合してほぼ元の形態とは異なる新しい一つの集合噴霧に置き換わっており、非常に特徴的で安定した現象である。
【０００９】
これらのどちらの形態になるかは、噴霧挙動がある閾値のどちらにあるかによるところが大きい。単噴霧の集合化が進んだ集合噴霧になるほど噴射量分布は軸対称に近づき、また鋭角な円錐形状となり、全体噴霧としての貫徹力が増大する。上記二つの形態のどちらの場合であっても、複数の単噴霧が集合し、噴霧方向に直角な面内の噴霧形状と噴射量分布がほぼ軸対称になった集合噴霧において、その断面形状を非対象な異形とし、噴霧の一部分を所望の方向に指向させることは難しい。
【００１０】
また、前述したような微粒化手法が燃料噴射弁に適用されつつあるが、微粒化の技術の主流は小噴孔径と多噴孔化であり、隣り合う噴孔からの噴流が互いに干渉して微粒化状態が悪化しないように設計されている。すなわち、噴孔中心軸線あるいは噴流方向が下流になるほど離れていくように、噴孔配置と噴孔径、傾き、および長さ等の噴孔仕様が設定されており、噴霧の微粒化とコンパクトな噴霧は両立しにくい。
【００１１】
噴霧全体の広がりを抑制する手法としては、噴孔中心軸線あるいは噴流方向が噴孔直下で互いに交差するような噴孔配置と噴孔仕様にすることが知られている。しかし、この手法では、噴孔出口から液膜流の破断や分裂を経て実質的に噴霧流と見なせるようになる位置までの長さ（液膜流のブレーク長さ）との関係や微粒化の要件が考慮されていなかった。
【００１２】
一方、噴霧全体の広がりを抑制するために、流体噴射弁の動作中心軸線に直角な面に対する噴孔中心軸線の角度を相対的に小さくすると、薄い液膜流を形成するのに不利である。つまり、微粒化プロセスが遅くなり噴流同士が干渉し易く、微粒化レベルを期待値通りに実現できない。また、前述のように、噴流同士の干渉により複数の単噴霧の集合噴霧が生じた場合、単噴霧の時より貫徹力が大きくなる。
【００１３】
さらに、シリンダライナーへの噴霧衝突軽減や空気との混合促進のために、噴霧の貫徹力を所定距離のところで急速に減衰させる手法が望まれるが、噴霧形態を大きく変えずに実現する手法がなかった。このため、各噴霧が貫徹力を急速に減衰するためには、噴孔出口からの噴流を偏平にする等の方法で噴霧の運動量の減衰を早める必要があるが、その場合、各噴霧出口での噴流の干渉を避けるために、各噴流方向をさらに離す必要があった。
【００１４】
例えば、火花点火式直噴エンジンにおいて噴霧貫徹力の確保と噴霧密度の適度な分散を両立させることを目的とした先行技術として、特許文献１では、主噴孔と、噴射中心が主噴孔の噴射中心と異なる方向を指向する副噴孔とを備え、主噴孔の入口と出口の断面積が異なるように設定することで、噴射量を一定にしたままで噴霧角を広げ、噴霧の燃料密度を分散させたマルチホールインジェクタが提示されている。
【００１５】
また、特許文献２では、噴孔内の燃料の流れる方向に縮小する第１テーパ部においてキャビテーション気泡を発生させ、発生したキャビテーション気泡が崩壊することにより燃料を微粒化させると共に、微粒化された燃料を流れ方向に拡大する第２テーパ部により拡散して貫徹力を低下させるようにした燃料噴射弁が提示されている。
【００１６】
一方、流体工学において、噴孔から噴射された断面形状が長円状のスイッチング噴霧の長軸と短軸との方向が、下流において変化するアクシス−スイッチング（ａｘｉｓ−ｓｗｉｔｃｈｉｎｇ）現象が知られている（非特許文献１−６）。このアクシス−スイッチング現象は、噴霧の断面形状が長円形状でなくてもよく、少なくとも短軸に対して長軸がほぼ線対称である形状のものであれば成立する。
【先行技術文献】
【特許文献】
【００１７】
【特許文献１】特開２００７−３１５２７６号公報
【特許文献２】特開２０１２−１４５０４８号公報
【非特許文献】
【００１８】
【非特許文献１】日本機械学会論文集（Ｂ編）５５巻５１４号、ｐｐ１５４２−１５４５、「非円形噴流中の渦構造に関する研究」（豊田他）
【非特許文献２】ILASS−Europe２０１０、”An experimental investigation of discharge coefficient and cavitation length in the elliptical nozzles”(Sung Ryoul Kim)
【非特許文献３】生産研究５０巻１号、ｐｐ６９−７２、”Numerical Simulation of Complex Turbulent Jets:Origin of Axis-Switching”(Ayodeji O.DEMUREN)
【非特許文献４】噴流工学、森北出版、ｐｐ４１−４２
【非特許文献５】日本機械学会論文集（第２部）２５巻１５６号、ｐｐ８２０−８２６、「ディーゼル機関燃料噴霧の到達距離に関する研究」（和栗ら）
【非特許文献６】日本機械学会論文集（Ｂ編）６２巻５９９号、ｐｐ２８６７−２８７３「ディーゼル噴霧構造に与える雰囲気粘性の影響」（段ら）
【発明の概要】
【発明が解決しようとする課題】
【００１９】
上記のように、従来技術では、マルチホールインジェクタを搭載した火花点火式直噴エンジンにおいて、点火プラグ近傍を指向する噴霧と点火プラグ近傍を指向せずに全体に拡散する噴霧のそれぞれに要求される噴霧仕様を実現するための設計の自由度が低く、十分に実現することができていなかった。特に、噴霧の微粒化、噴霧形状、および貫徹力は、互いに相関を持つ特性であるが、特許文献１および特許文献２では、それらの影響を考慮していないため、最適な噴霧仕様を実現することはできない。
【００２０】
特許文献１のようなノズルでは、実際には噴孔上流のサック（キャビティ）内部の流れ方によって各噴孔への燃料の流入の仕方が変わることが知られている。すなわち、噴孔入口と出口の断面積を異ならせた場合に、必ずしも噴射量を一定にしたままで噴霧角を広げられるとは限らない。特に、複数の噴孔がインジェクタ中心軸を対称にして配置されていない場合は、各噴孔内の流れパターンは同じとならないことが多いが、特許文献１ではこれらのことが考慮されていない。
【００２１】
特許文献２では、燃料圧力や剥離状況等によるキャビテーションへの影響が示されていないため、微粒化のレベルが不明である。微粒化のレベルが異なれば噴霧全体が保有する運動量も異なり貫徹力にも影響する。特に点火プラグ近傍を指向する噴霧としては、噴霧形状や貫徹力等の設計自由度をより確実に向上させる手法が望まれる。
【００２２】
上記特許文献１および特許文献２の課題を解決するものとして、本願発明者による先願（特願２０１３−２１４３３６）では、流体噴射弁の噴孔体に配置される複数の噴孔の少なくとも一つを、スイッチング噴霧を生成するスイッチング噴孔とすることを提案している。これによれば、火花点火式直噴エンジンの燃焼室内において、アクシス−スイッチング現象を利用して噴霧の噴射方向に直角な面内の断面形状を変化させ、点火プラグ近傍を指向する噴霧を生成することができる。
【００２３】
しかし、この先願では、アクシス−スイッチング現象を利用して全体噴霧の一部分の噴霧の噴霧方向を制御しているだけであり、様々な燃焼室の形状や筒内空気流動、インジェクタ取り付け位置等に応じて混合気形成または燃焼に適した全体噴霧を形成するためには、さらなる改善の余地があった。
【００２４】
本発明は、上記のような問題点を解決するためになされたものであり、スイッチング噴孔により生成されるスイッチング噴霧を利用して複数の噴霧を含む全体噴霧の形状を制御し、噴霧の微粒化と、噴霧方向、貫徹力、および噴射量分布の設計自由度の向上とを両立させた流体噴射弁およびこれを備えた噴霧生成装置を得ることを目的とする。
【課題を解決するための手段】
【００２５】
本発明に係る流体噴射弁は、流体が流れる通路の途中に設けられた弁座と、弁座と当接および離間可能に設けられ通路の開閉を制御する弁体と、弁座の下流に設けられた噴孔体とを備え、噴孔体に配置された複数の噴孔群から流体を噴射し複数の噴霧群を生成する流体噴射弁であって、複数の噴孔群の各々は、互いに近接して配置された複数の噴孔を有し、複数の噴孔群の少なくとも一つは、流体噴射方向に直角な面内の断面形状において長軸と短軸の長さが異なるスイッチング噴霧を生成するスイッチング噴孔を少なくとも一つ含み、スイッチング噴孔により生成されるスイッチング噴霧は、該スイッチング噴孔から所定の距離で長軸と短軸の方向を変化させ、該変化を生じた後は、該スイッチング噴孔と同じ噴孔群に属する別の噴孔により生成される噴霧との間で、コアンダ効果による近接化または集合化が生じるように制御されるものである。
【００２６】
また、本発明に係る噴霧生成装置は、上記の流体噴射弁と、流体噴射弁に流体を供給する流体供給手段と、流体噴射弁の動作を制御する制御手段とを備えたものである。
【発明の効果】
【００２７】
本発明に係る流体噴射弁およびこれを備えた噴霧生成装置によれば、噴孔群に属するスイッチング噴孔により生成されるスイッチング噴霧は、長軸と短軸の方向の変化を生じた後、該スイッチング噴孔と同じ噴孔群に属する別の噴孔により生成される噴霧との間でコアンダ効果による近接化または集合化を生じるように制御されることにより、各噴孔群により生成される各噴霧群の噴霧形状および全体噴霧形状を制御することが可能となり、噴霧の微粒化と、噴霧方向、貫徹力、および噴射量分布の設計自由度の向上とを両立させることが可能となる。
【図面の簡単な説明】
【００２８】
【図１】本発明の実施の形態１に係る燃料噴射弁を示す断面図である。
【図２】本発明の実施の形態１に係る燃料噴射弁の先端部を示す拡大断面図である。
【図３】本発明の実施の形態１に係る燃料噴射弁の噴孔プレートにおける噴孔の配置例を示す平面図である。
【図４】本発明の実施の形態１に係る燃料噴射弁の先端部の構造を説明する詳細断面図である。
【図５】本発明の実施の形態１に係る燃料噴射弁の先端部の構造を説明する詳細断面図である。
【図６】参考例として二つの非スイッチング噴霧がコアンダ効果により集合噴霧を形成するまでの挙動を説明する図である。
【図７】参考例として二つの非スイッチング噴霧がコアンダ効果により集合噴霧を形成するまでの挙動を説明する図である。
【図８】参考例として二つの非スイッチング噴霧にコアンダ効果が作用しない場合の挙動を説明する図である。
【図９】本発明の実施の形態１に係る燃料噴射弁において同じ噴孔群に属し互いに隣接する二つの噴孔により生成される非スイッチング噴霧とスイッチング噴霧の挙動を説明する図である。
【図１０】本発明の実施の形態１に係る燃料噴射弁の噴孔プレートにおける噴孔の他の配置例を示す平面図である。
【図１１】本発明の実施の形態１に係る燃料噴射弁において、別の噴孔群に属し互いに隣接する二つの噴孔により生成される非スイッチング噴霧とスイッチング噴霧の挙動を説明する図である。
【図１２】本発明の実施の形態１に係る燃料噴射弁において、別の噴孔群に属し互いに隣接する二つの噴孔により生成される非スイッチング噴霧とスイッチング噴霧の挙動を説明する図である。
【図１３】本発明の実施の形態１に係る燃料噴射弁において形成される全体噴霧の例を説明する図である。
【図１４】本発明の実施の形態１に係る燃料噴射弁において各噴霧群が全体噴霧に至るまでを時系列で示す図である。
【図１５】本発明の実施の形態２に係る火花点火式直噴エンジンを説明する図である。
【図１６】本発明の実施の形態３に係る圧縮着火式直噴エンジンを説明する図である。
【発明を実施するための形態】
【００２９】
実施の形態１．
以下に、本発明の実施の形態１に係る流体噴射弁および噴霧生成装置について、図面に基づいて説明する。図１は、本実施の形態１に係る燃料噴射弁を示す断面図、図２は、本実施の形態１に係る燃料噴射弁の先端部を示す拡大断面図である。なお、図中、同一、相当部分には同一符号を付している。
【００３０】
本実施の形態１に係る噴霧生成装置は、流体噴射弁である燃料噴射弁１と、燃料噴射弁１に燃料を供給する燃料供給手段（図示省略）、および燃料噴射弁１の動作を制御する制御手段である制御装置（図示省略）とを備えている。以下の説明では、エンジンのシリンダヘッドに取り付けられ、燃料を噴射する先端部がエンジンの筒内に臨むよう配置された燃料噴射弁１を例に挙げて説明する。
【００３１】
燃料噴射弁１は、電磁力を発生するソレノイド装置２と、ソレノイド装置２への通電により作動する弁装置３を備えている。ソレノイド装置２は、磁気回路のヨーク部分をなすハウジング２１と、このハウジング２１の内側に設けられた固定鉄心であるコア２２と、コア２２を囲うように設けられたコイル２３と、コイル２３の内側に設けられ往復移動する可動鉄心であるアマチュア２４を備えている。
【００３２】
弁装置３は、円筒形状であってコア２２の先端部の外径部に圧入、溶接された弁本体３１と、弁本体３１の内部の燃料が流れる通路の途中に設けられた弁座３２を備えている。弁座３２の下流には、燃料を噴射する複数の噴孔３９を有する噴孔体である噴孔プレート３３と、弁座３２の内部で噴孔プレート３３の上流に設けられたカバープレート３４と、弁本体３１の内側に弁座３２と当接および離間可能に設けられ通路の開閉を制御する弁体３５と、弁体３５の上流に設けられた圧縮バネ３６を備えている。
【００３３】
弁体３５は、アマチュア２４の内面に圧入、溶接された中空のロッド３７と、ロッド３７の先端部に溶接で固定されたボール３８を有している。図２に示すように、ボール３８は、燃料噴射弁１のＺ軸（図１中、矢印で示す）に平行な面取部３８ａと、カバープレート３４と対向する平面部３８ｂと、弁座３２と線接触する曲面部３８ｃとを有している。
【００３４】
噴孔プレート３３は、周縁部が下側に折曲されており、弁座３２の先端面および弁本体３１の内周側面に溶接されている。噴孔プレート３３には、板厚方向に貫通する噴孔３９が形成されている。なお、噴孔３９とは、以下に説明する非スイッチング噴孔３９１とスイッチング噴孔３９２の総称であり、それらを特に区別する必要のない場合に用いるものである。
【００３５】
図３は、本実施の形態１に係る燃料噴射弁１の噴孔プレート３３における噴孔３９の配置例を示す平面図である。噴孔３９には、噴孔プレート３３の板厚方向すなわち噴孔軸に直角な断面形状が略円形の非スイッチング噴孔３９１と、噴孔軸に直角な断面形状が長軸と短軸を有する例えば長円形のスイッチング噴孔３９２との二種類がある。なお、噴孔プレート３３は、弁座３２と一体的に形成されていても良く、その場合も、スイッチング噴孔３９２は、流体噴射方向に相当する噴孔軸に直角な断面形状が長軸と短軸を有する形状である。
【００３６】
また、図３に示すように、噴孔プレート３３には、４つの噴孔群３９３ａ、３９３ｂ、３９３ｃ、３９３ｄ（総称して噴孔群３９３）と、単独で設けられた一つのスイッチング噴孔３９２ｅが配置されている。複数の噴孔群３９３の各々は、互いに近接して配置された複数の噴孔３９を有し、複数の噴孔群３９３の少なくとも一つは、スイッチング噴孔３９２を少なくとも一つ含んでいる。
【００３７】
図３に示す例では、噴孔群３９３ａは、非スイッチング噴孔３９１ａとスイッチング噴孔３９２ａを有し、噴孔群３９３ｂは、非スイッチング噴孔３９１ｂとスイッチング噴孔３９２ｂを有している。同様に、噴孔群３９３ｃは、非スイッチング噴孔３９１ｃとスイッチング噴孔３９２ｃを有し、噴孔群３９３ｄは、非スイッチング噴孔３９１ｄとスイッチング噴孔３９２ｄを有している。各噴孔群３９３において、スイッチング噴孔３９２の長軸は、同じ噴孔群３９３に含まれる非スイッチング噴孔３９１に対向するように配置されている。
【００３８】
非スイッチング噴孔３９１から噴射された燃料の噴流は、所定の距離（ブレーク長さ）下流に進むと、噴射方向に直角な面内の断面形状が略円形の非スイッチング噴霧を生成する。また、スイッチング噴孔３９２から噴射された噴流は、所定の距離（ブレーク長さ）下流に進むと、噴射方向に直角な面内の断面形状において長軸と短軸の長さが異なるスイッチング噴霧を生成する。
【００３９】
スイッチング噴孔３９２により生成されるスイッチング噴霧は、該スイッチング噴孔３９２から所定の距離でアクシス−スイッチング現象を生じるように制御され、長軸と短軸の方向を変化させる。なお、各噴霧の挙動については後に詳細に説明する。
【００４０】
次に、燃料噴射弁１の動作について説明する。エンジンの制御装置より燃料噴射弁１の駆動回路に動作信号が送られると、燃料噴射弁１のコイル２３に電流が通電され、アマチュア２４はコア２２側へ吸引される。この結果、アマチュア２４と一体構造であるロッド３７およびボール３８は、圧縮バネ３６の弾性力に逆らって上方向に移動し、ボール３８の曲面部３８ｃが弁座面３２ａから離間し、両者に間隙が形成されて通路が形成され、吸気ポートに指向した燃料噴射が開始される。
【００４１】
一方、エンジンの制御装置より燃料噴射弁１の駆動回路に動作の停止信号が送られると、コイル２３への通電が停止し、アマチュア２４がコア２２側に吸引される力は消失し、ロッド３７は、圧縮バネ３６の弾性力によって弁座３２側に押され、ボール３８の曲面部３８ｃと弁座面３２ａとは閉状態となり、燃料噴射はこの時点で終了する。
【００４２】
ここで、例えば縮流によって噴孔３９内の流れを液膜流とする噴孔プレート３３とカバープレート３４、および弁座３２、ボール３８の詳細な構造と位置について、図２、図４および図５の各詳細断面図を用いて説明する。ここで説明する噴孔３９は、非スイッチング噴孔３９１とスイッチング噴孔３９２のどちらであってもよい。なお、図４において、Ｘは噴孔３９の径、Ｙは噴孔３９の長さを示している。
【００４３】
燃料は、弁体３５の開弁時においてボール３８の面取部３８ａと弁座３２の内面との間のＺ軸に平行な通路から、ボール３８の曲面部３８ｃと弁座面３２ａとの間を下流へ向かい、弁座シート部Ｒ１に至る。弁座シート部Ｒ１の上流では燃料がＺ軸に平行に流れるため、燃料は、弁座シート部Ｒ１を通過した後においては慣性により弁座面３２ａに沿う流れが主流となり、弁座面３２ａの下流端の点Ｐ１に達する。
【００４４】
点Ｐ１は弁座面３２ａの終端であり、弁座３２は、点Ｐ１から下流側は垂直方向に延びた面を有している。従って、燃料の主流は、点Ｐ１から剥離する。弁座面３２ａの延長線は、カバープレート３４の周側面と点Ｐ２で交わっており、点Ｐ１から剥離した燃料は、点Ｐ２に向かい環状通路Ｃ（弁座３２の内周壁面とカバープレート３４の大径部３４ｄの周側面との間）を通過して、径方向に大幅な進路変更を伴わずに径方向通路Ｂ（弁座３２の内周壁面とカバープレート３４の小径部３４ｃの周側面との間）に流入する。
【００４５】
なお、弁座シート部Ｒ１を通過する燃料の主流は、環状通路Ｃに流入するため、隙間通路Ａ（ボール３８の底面とカバープレート３４の天面３４ａとの間）への流入は抑制される。シート部Ｒ１と噴孔３９の入口の点Ｐ３とを直線で結んだ線は、カバープレート３４の大径部である薄肉部３４ｂで交叉している。すなわち薄肉部３４ｂは、弁座シート部Ｒ１から噴孔３９の入口への燃料の直線的な流入を遮っている。
【００４６】
このため、噴孔３９に流入する燃料の少なくとも一部は、径方向通路Ｂに沿う流れとなる。カバープレート３４は、その小径部３４ｃが噴孔３９よりも内径側で噴孔３９に近接して配置されている。従って、径方向通路Ｂに沿って内径側に向かう燃料の正面流れＦ１は、燃料噴射弁１のＺ軸から噴孔３９に流入する戻り流れＦ２の流路を閉塞させ、戻り流れＦ２の速度を低下させる。戻り流れＦ２が抑制されることで、弁座シート部Ｒ１側から噴孔３９に流入する正面流れＦ１の速度が相対的に強められる。
【００４７】
正面流れＦ１の少なくとも一部が、径方向通路Ｂに沿って進行した後に噴孔３９内で大幅な方向変化を強制されること、および正面流れＦ１が高速であることから、燃料は、噴孔３９の断面において、燃料噴射弁１のＺ軸側の噴孔３９の壁面に強く押し付けられる。その後、図５に示すように、噴孔３９の入口では、低速な戻り流れＦ２は、噴孔３９の壁面に沿って流れＦ３を形成し、高速な正面流れＦ１は、燃料を壁面に押し付ける燃料流Ｆ４を形成する。
【００４８】
また、噴孔３９の出口から導入される空気の流れＦ５が燃料流Ｆ４に作用し、点Ｐ４（噴孔３９の燃料入口の外側の縁部）を起点とした燃料流Ｆ４の剥離を生じさせる。燃料流Ｆ４は、噴孔３９内を進行するに伴い壁面に押し付けられ、液膜の方向は、噴孔３９の壁面の円周方向に広がりつつ噴孔３９の壁面に沿う方向に変化していく。
【００４９】
前述のように、液膜が薄いほど液糸が細くなり液滴の微粒化に有効であるため、本実施の形態１では、隙間通路Ａの高さｈ（図４参照）に対する噴孔３９の長さＹを最適化し、燃料流Ｆ４が噴孔３９内で薄い液膜流３０の状態まで押し付けられるようにしている。これにより、噴射された燃料の液膜流３０は、所定の距離を経て分裂を開始し、液糸の状態を経て微粒化された液滴が生成される。
【００５０】
次に、本実施の形態１に係る燃料噴射弁１において、アクシス−スイッチング現象を利用し、噴霧形状、貫徹力、噴射量分布および噴霧方向を制御する手法について説明する。まず、参考例として、基本的な噴霧挙動について図６から図８を用いて説明する。図６は、二つの非スイッチング噴霧にコアンダ効果が作用し集合噴霧を形成するまでの挙動を説明する図である。なお、コアンダ効果とは、隣接する噴霧との近接化を誘起する効果である。
【００５１】
図６において、（ａ）は二つの非スイッチング噴孔から噴射された非スイッチング噴霧を示す側面図、（ｂ）は（ａ）中、Ｅ−Ｅ、Ｆ−Ｆ、Ｇ−Ｇ、Ｈ−Ｈで示す部分における断面図である。図６（ａ）に示すように、間隔Ｌ１で配置された二つの非スイッチング噴孔３９１から噴射された噴流４ａ、４ｂは、それぞれ非スイッチング噴霧４Ａ、４Ｂとなる。噴流４ａ、４ｂは、液膜流の破断や分裂を経て実質的に噴霧流と見なせるようになる状態のブレークが生じたとき、断面Ｅ−Ｅに示す噴流断面形状である。
【００５２】
この時の非スイッチング噴孔３９１と断面Ｅ−Ｅとの距離をブレーク長さａとする。このブレーク長さａの位置ではすでに、両噴流４ａ、４ｂの隙間ｃ１はコアンダ効果が作用する閾値よりも小さくなっている。続いて、断面Ｆ−Ｆでは、噴流４ａ、４ｂは、分散して単一の非スイッチング噴霧４Ａ、４Ｂとなり、非スイッチング噴孔３９１から距離ｂの位置で、二つの非スイッチング噴霧４Ａ、４Ｂは、その外径が接し始める。
【００５３】
さらに、断面Ｆ−Ｆから、圧力分布に起因して二つの単一の非スイッチング噴霧４Ａ、４Ｂの間にコアンダ効果が作用し、単一の非スイッチング噴霧４Ａ、４Ｂは接近して断面Ｇ−Ｇのように集合化が進む。それと同時に、非スイッチング噴霧４Ａ、４Ｂの周囲空気の巻き込みと、それによる非スイッチング噴霧４Ａ、４Ｂ内の略中心部分の下流への流れ方向に沿った空気流の誘起を生じさせる。
【００５４】
なお、仮に噴流４ａと噴流４ｂ、あるいは非スイッチング噴霧４Ａと非スイッチング噴霧４Ｂとが、各々アクシス−スイッチング現象を生じる素性を保有していた場合でも、アクシス−スイッチング現象が生じる前に、断面Ｅ−Ｅの位置において両噴流４ａ、４ｂの隙間ｃ１はコアンダ効果が作用する閾値よりも小さくなっているため、コアンダ効果が作用して接近し始める。
【００５５】
ここで、周囲空気の巻き込みレベルは、単一の非スイッチング噴霧４Ａ、４Ｂを集合した集合噴霧４０全体の形状を大きく変化させるレベルではない。さらに、条件が整えば、断面Ｇ−Ｇの集合噴霧４０の状態からさらに集合化が進み、断面Ｈ−Ｈのように実質的にほぼ一つの中実の集合噴霧４０とみなされるようになる。
【００５６】
図７は、二つの非スイッチング噴霧がコアンダ効果により集合噴霧を形成するまでの挙動を、周囲空気の巻き込み状況を示す矢印で説明した図であり、（ａ）は二つの非スイッチング噴孔から噴射された非スイッチング噴霧を示す側面図、（ｂ）は（ａ）中、Ｆ−Ｆ、Ｇ１−Ｇ１、Ｇ２−Ｇ２、Ｈ−Ｈで示す部分における断面図である。
【００５７】
図７（ａ）に示すように、周囲空気の巻き込みにより、噴霧内に下流への流れ方向に沿った空気流Ｖが誘起されている。その結果、図７（ｂ）に示すように、Ｆ−Ｆ、Ｇ１−Ｇ１、Ｇ２−Ｇ２、Ｈ−Ｈにおける各噴霧の噴射量分布は、集合噴霧４０の略中心にピークができる。
【００５８】
このように、複数の非スイッチング噴霧４Ａ、４Ｂがコアンダ効果の作用により集合噴霧４０を形成した場合、周囲空気の巻き込みによって噴霧内に下流への流れ方向に沿った空気流が誘起され、貫徹力の抑制が困難となり、噴霧の微粒化や噴霧形状に関しても設計自由度は低くなる。
【００５９】
また、図８は、二つの非スイッチング噴霧にコアンダ効果が作用せず、独立した噴霧を形成するまでの挙動を説明する図である。図８において、（ａ）は二つの非スイッチング噴孔から噴射された非スイッチング噴霧の側面図、（ｂ）は（ａ）中、Ｅ−Ｅ、Ｆ−Ｆ、Ｇ−Ｇで示す部分における断面図である。図８（ａ）に示すように、間隔Ｌ２（Ｌ２＞Ｌ１）で配置された二つの非スイッチング噴孔３９１から噴射された噴流４ａ、４ｃは、それぞれ非スイッチング噴霧４Ａ、４Ｃとなる。
【００６０】
噴流４ａ、４ｃは、液膜流の破断や分裂を経て実質的に噴霧流と見なせるようになる状態のブレークが生じたとき、断面Ｅ−Ｅにおける噴流断面形状である。この時のブレーク長さａの位置では、両噴流４ａ、４ｃの隙間はコアンダ効果が作用する閾値よりも大きい。さらに、断面Ｇ−Ｇにおける両噴霧４Ａ、４Ｃの隙間ｃ２も、コアンダ効果が作用する閾値より大きく、両噴霧４Ａ、４Ｃにはコアンダ効果は作用しない。その結果、両噴霧４Ａ、４Ｃは独立したままでほぼ初期の進行方向に進んでいく。
【００６１】
なお、図８では、二つの非スイッチング噴孔３９１を例に挙げて説明したが、非スイッチング噴孔３９１とスイッチング噴孔３９２の組み合わせであっても、両噴霧の間にコアンダ効果が作用せず、それぞれが独立した噴霧を形成するように設計することは可能である。
【００６２】
本実施の形態１において、一つの噴孔群３９３に含まれる複数の噴孔３９は、少なくともスイッチング噴孔３９２により生成されるスイッチング噴霧がアクシス−スイッチング現象を生じるまでは、隣接する噴霧との近接化を誘起するコアンダ効果が互いに作用しない間隔で配置されると共に、それらの噴孔径、長さ、および傾きを含む噴孔仕様が設定される。
【００６３】
さらに、一つの噴孔群３９３に含まれる複数の噴孔３９により生成される各噴霧は、少なくともスイッチング噴孔３９２により生成されるスイッチング噴霧がアクシス−スイッチング現象を生じるまでは、隣接する噴霧との近接化を誘起するコアンダ効果が互いに作用しない流速、粒径、および粒子数密度に設定される。
【００６４】
また、スイッチング噴孔３９２は、噴射方向に直角な面内の断面形状において、短軸に対して長軸が略線対称なスイッチング噴霧を生成するように、その噴孔径、長さ、および傾きを含む噴孔仕様が設定される。さらに、本実施の形態１では、スイッチング噴孔３９２は、アクシス−スイッチング現象により長軸と短軸の方向を略９０度変化させるスイッチング噴霧を生成するように噴孔仕様が設定される。
【００６５】
すなわち、本実施の形態１に係る燃料噴射弁１において、隣接する噴霧がコアンダ効果の作用により近接して変形するのは、少なくとも一方がスイッチング噴霧で、且つ、アクシス−スイッチング現象を生じた後のみである。この場合、二つ以上の噴霧の近接化により、噴射方向に直角な面内の断面形状が非対称な非円形形状の集合噴霧を形成する。
【００６６】
次に、本実施の形態１に係る燃料噴射弁１の噴孔プレート３３（図３参照）において、同じ噴孔群３９３ａに属し互いに隣接する非スイッチング噴孔３９１ａとスイッチング噴孔３９２ａにより生成される非スイッチング噴霧４Ａとスイッチング噴霧５Ａが、コアンダ効果により集合噴霧５０を形成するまでの挙動について、図９を用いて説明する。図９において、（ａ）は各噴霧の側面図、（ｂ）は（ａ）中、Ｅ−Ｅ、Ｆ−Ｆ、・・、Ｍ−Ｍで示す部分における断面図である。
【００６７】
図９（ａ）に示すように、非スイッチング噴孔３９１ａとスイッチング噴孔３９２ａは、間隔Ｌ３で配置されている。非スイッチング噴孔３９１ａから噴射された噴流４ａは、非スイッチング噴霧４Ａとなり、スイッチング噴孔３９２ａから噴射された噴流５ａは、スイッチング噴霧５Ａとなる。図９において、噴流４ａと噴流５ａのブレーク長さａがほぼ等しいとすると、この時の噴流断面形状は断面Ｅ−Ｅに示すようになる。
【００６８】
断面形状が長円形のスイッチング噴霧５Ａは、アクシス−スイッチング現象が生じる前は、その長軸方向が非スイッチング噴霧４Ａと対向している。スイッチング噴霧５Ａは、非スイッチング噴霧４Ａと対向しつつ、その断面形状が長軸および短軸の両方向に若干拡大しながら、ほぼスイッチング噴孔３９２直下での初期の流れ方向を維持して下流に流れる。
【００６９】
その後、スイッチング噴孔３９２から所定の距離においてアクシス−スイッチング現象が生じ、断面Ｊ−Ｊに示すように、スイッチング噴霧５Ａの長軸と短軸の方向が変化し始める。なお、この位置では、スイッチング噴霧５Ａと非スイッチング噴霧４Ａとの隙間ｃ３は、コアンダ効果が作用する閾値よりも大きく、コアンダ効果は生じていない。
【００７０】
断面Ｊ−Ｊから断面Ｋ−Ｋへと下流になるにつれて、スイッチング噴霧５Ａの長軸と短軸の方向が変化する変形が進み、スイッチング噴霧５Ａと非スイッチング噴霧４Ａが近接してくる。これは、スイッチング噴霧５Ａにアクシス−スイッチング現象が生じたことにより、スイッチング噴霧５Ａと非スイッチング噴霧４Ａの隙間が小さくなり、それに伴いスイッチング噴霧５Ａと非スイッチング噴霧４Ａとの間にコアンダ効果が作用したことによる。
【００７１】
断面Ｋ−Ｋにおいて、スイッチング噴霧５Ａと非スイッチング噴霧４Ａの隙間ｃ４は、コアンダ効果が作用する閾値よりも小さくなっている。断面Ｌ−Ｌでは、スイッチング噴霧５Ａと非スイッチング噴霧４Ａの向かい合う端部が変形、移動して干渉し始める。その結果、断面Ｍ−Ｍにおいて、燃料噴射後の所定時間経過後に、非スイッチング噴孔３９１およびスイッチング噴孔３９２から所定の距離において、スイッチング噴霧５Ａと非スイッチング噴霧４Ａが集合した集合噴霧５０が形成される。
【００７２】
この集合噴霧５０の形状、大きさ、方向、貫徹力、および噴射量分布や、各集合噴霧５０の配置などは、スイッチング噴霧５Ａおよび非スイッチング噴霧４Ａの各特性や各配置を変更することにより、変更することができる。
【００７３】
また、スイッチング噴霧５Ａは、長軸と短軸の方向が変化して変形することによって周囲空気との運動量交換が大きく進み、貫徹力が小さくなる。そのため、非スイッチング噴霧４Ａと干渉することで、非スイッチング噴霧４Ａの各粒子や各粒子に引きずられている空気流の動きに抑制がかかり、非スイッチング噴霧４Ａの貫徹力も抑制される。
【００７４】
図９（ａ）の一点鎖線ｄは、非スイッチング噴霧４Ａが単独の場合の噴霧形状を示している。このように、非スイッチング噴霧４Ａは、スイッチング噴霧５Ａとの干渉によって貫徹力が低下し、その先端の伸びが単独の場合よりも短縮される。
【００７５】
さらに、スイッチング噴霧５Ａは、貫徹力が低下し周囲空気との混合が大幅に進むことにより微粒化が向上し、非スイッチング噴霧４Ａの微粒化レベルとの差が小さくなる。すなわち、非スイッチング噴孔３９１およびスイッチング噴孔３９２から下流の所定距離において微粒化され、断面が非対称な非円形形状の集合噴霧５０を形成することができる。
【００７６】
図９において、スイッチング噴孔３９２を利用しなかった場合、隣り合う噴霧の近接化はさらに下流にならないと始まらず、場合によっては集合化には至らない。従って、各噴霧は拡がり続けるとともに、貫徹力は低下しない。その結果、噴霧が保有する運動量は空気流に移動しにくく微粒化も不十分となる。
【００７７】
このように、同じ噴孔群３９３に属する噴孔３９により生成される噴霧群（非スイッチング噴霧４Ａとスイッチング噴霧５Ａ）は、所定距離においてスイッチング噴霧５Ａの変形によりコアンダ効果が作用し近接化または集合化することにより、貫徹力を急速に減衰させることが可能である。また、貫徹力が低下することにより周囲空気との混合が進み、微粒化が向上する。さらに、噴射量分布および噴霧方向は、各噴孔仕様によって設定することができる。
【００７８】
なお、図９では、非スイッチング噴霧４Ａとスイッチング噴霧５Ａを各一つ組み合わせで断面が非対象な集合噴霧５０を形成しているが、集合噴霧が形成されるのはこの組み合わせに限定されるものではなく、噴霧の数および配置も限定されるものではない。例えば、二つの非スイッチング噴霧４Ａと一つのスイッチング噴霧５Ａとの組み合わせでもよいし、二つのスイッチング噴霧５Ａであってもよい。すなわち、各噴孔群３９３の中に、スイッチング噴孔３９２が少なくとも一つ含まれていればよい。
【００７９】
図１０は、本実施の形態１に係る噴孔プレート３３における噴孔３９および噴孔群３９３の他の配置例を示している。図１０（ａ）に示す例では、噴孔群３９３ｆ（３９３ｇ）は、二つのスイッチング噴孔３９２ｆ（３９２ｇ）を含んでいる。この例のように、二つのスイッチング噴孔３９２を、それらの長軸が略平行に対向するように配置することにより、アクシス−スイッチング現象によって長軸同士が繋がった集合噴霧が形成される。
【００８０】
また、図１０（ｂ）に示す例では、噴孔群３９３ｈ（３９３ｍ）は、一つの非スイッチング噴孔３９１ｈ（３９１ｍ）と、二つのスイッチング噴孔３９２ｈ（３９２ｍ）を含んでいる。噴孔群３９３ｈは、長軸が略平行に対向する二つのスイッチング噴孔３９２ｈと、それらの間に配置された非スイッチング噴孔３９１ｈからなる。また、噴孔群３９３ｊは、長軸が略平行に対向する二つのスイッチング噴孔３９２１ｊと、それらの間に長軸が直交するように配置されたスイッチング噴孔３９２２ｊからなる。
【００８１】
噴孔群３９３ｈ、３９３ｊにより形成される集合噴霧は、図１０（ａ）に示す噴孔群３９３ｆにより形成される集合噴霧よりもさらに長手方向に細長く、中央部が膨らんだ断面形状となる。このように、各噴孔群３９３に含まれる噴孔３９の数を増やすことで、より複雑な形状の集合噴霧を形成することができる。
【００８２】
次に、本実施の形態１において、別の噴霧群３９３に属し、互いに隣接する非スイッチング噴孔３９１とスイッチング噴孔３９２により生成される非スイッチング噴霧４Ａとスイッチング噴霧５Ａの挙動について、図１１および図１２を用いて説明する。
【００８３】
図１１は、図３に示す非スイッチング噴孔３９１ｃとスイッチング噴孔３９２ｄにより生成される非スイッチング噴霧４Ａとスイッチング噴霧５Ａの挙動を示している。図１１において、（ａ）は各噴霧の側面図、（ｂ）は（ａ）中、Ｅ−Ｅ、Ｆ−Ｆ、・・、Ｌ−Ｌで示す部分における断面図である。
【００８４】
非スイッチング噴孔３９１ｃとスイッチング噴孔３９２ｄは、スイッチング噴孔３９２ｄの長軸が非スイッチング噴孔３９１ｃに対向するように、間隔Ｌ４（Ｌ４＞Ｌ３）で配置されている。非スイッチング噴孔３９１ｃから噴射された噴流４ａは、非スイッチング噴霧４Ａとなり、スイッチング噴孔３９２ｄから噴射された噴流５ｂは、スイッチング噴霧５Ｂとなる。
【００８５】
図１１において、スイッチング噴霧５Ｂは、アクシス−スイッチング現象が生じる前は、その長軸方向が非スイッチング噴霧４Ａと対向しているが、スイッチング噴孔３９２ｄから所定距離において、断面Ｊ−Ｊに示すようにその長軸と短軸の方向が変化し始める。
【００８６】
しかし、非スイッチング噴霧４Ａとスイッチング噴霧５Ａが最も接近する断面Ｌ−Ｌにおいても、それらの隙間ｃ５はコアンダ効果が作用する閾値よりも大きい。このため、両噴霧４Ａ、５Ｂにはコアンダ効果は作用せず、独立したままで、ほぼ初期の進行方向に進んでいく。この時、スイッチング噴霧５Ｂが非スイッチング噴霧４Ａに干渉しないため、非スイッチング噴霧４Ａの貫徹力は抑制されない。
【００８７】
また、複数のスイッチング噴霧５Ａを含む場合、複数のスイッチング噴霧５Ａにアクシス−スイッチング現象が生じた後も、非スイッチング噴霧４Ａから近接化や変形等の影響を受けないようにすることで、複数のスイッチング噴霧５Ａの変形後の形状を安定に保つことができる。
【００８８】
図１２は、図３に示す非スイッチング噴孔３９１ａとスイッチング噴孔３９２ｅにより生成される非スイッチング噴霧４Ａとスイッチング噴霧５Ｃの挙動を示している。図１２において、（ａ）は各噴霧の側面図、（ｂ）は（ａ）中、Ｅ−Ｅ、Ｆ−Ｆ、・・、Ｌ−Ｌで示す部分における断面図である。
【００８９】
非スイッチング噴孔３９１ａとスイッチング噴孔３９２ｅは、スイッチング噴孔３９２ｅの短軸が非スイッチング噴孔３９１ａに対向するように、間隔Ｌ５で配置されている。非スイッチング噴孔３９１ａから噴射された噴流４ａは、非スイッチング噴霧４Ａとなり、スイッチング噴孔３９２ｅから噴射された噴流５ｃは、スイッチング噴霧５Ｃとなる。
【００９０】
図１２において、スイッチング噴霧５Ｃは、アクシス−スイッチング現象が生じる前は、その短軸方向が非スイッチング噴霧４Ａと対向しているが、スイッチング噴孔３９２ｅから所定距離において、断面Ｊ−Ｊに示すようにその長軸と短軸の方向が変化し始める。
【００９１】
しかし、非スイッチング噴霧４Ａとスイッチング噴霧５Ｃが最も接近する断面Ｈ−Ｈにおいても、それらの隙間はコアンダ効果が作用する閾値よりも大きく、コアンダ効果は生じていない。さらに、断面Ｊ−Ｊから断面Ｋ−Ｋへと下流になるにつれて、スイッチング噴霧５Ｃの長軸と短軸の方向が変化する変形が進み、スイッチング噴霧５Ｃと非スイッチング噴霧４Ａの隙間はさらに大きくなる。
【００９２】
このため、両噴霧４Ａ、５Ｃにはコアンダ効果は作用せず、両噴霧４Ａ、５Ｃは独立したまま、ほぼ初期の進行方向に進んでいく。この時、スイッチング噴霧５Ｃが非スイッチング噴霧４Ａに干渉しないため、非スイッチング噴霧４Ａの貫徹力は抑制されない。
【００９３】
以上のように、本実施の形態１では、噴孔プレート３３に設けられる噴孔３９および噴孔群３９３の配置は様々な変形が可能であるが、いずれの場合においても、スイッチング噴霧５Ａがアクシス−スイッチング現象により変形する前に、隣接する非スイッチング噴霧４Ａまたはスイッチング噴霧５Ａとの間でコアンダ効果が作用することを確実に抑制している。
【００９４】
隣接する非スイッチング噴霧４Ａとスイッチング噴霧５Ａとの間でコアンダ効果が作用することを抑制する方法として、スイッチング噴霧５Ａと非スイッチング噴霧４Ａの特性に差を設けて、コアンダ効果が生じるタイミングを遅らせる方法がある。
【００９５】
具体的には、非スイッチング噴孔３９１およびスイッチング噴孔３９２から同じ距離におけるスイッチング噴霧５Ａの平均粒径を非スイッチング噴霧４Ａの平均粒径よりも大きくする方法、あるいはスイッチング噴霧５Ａのブレーク長さを非スイッチング噴霧４Ａのブレーク長さよりも長くする方法、さらにはスイッチング噴霧５Ａの貫徹力を非スイッチング噴霧４Ａの貫徹力よりも大きく設定する方法等がある。
【００９６】
これらの方法を実現するにあたっては、非スイッチング噴孔３９１とスイッチング噴孔３９２との噴孔形状の違いによって、縮流のレベルや方向が変わることを利用することができる。例えば縮流のレベルや方向を異ならせた場合、噴孔３９内での圧力損失（噴流速度）、噴流の断面積、断面形状、配置、および方向等を異ならせることができ、コアンダ効果が作用する隙間の閾値を変更することが可能となる。
【００９７】
また、コアンダ効果が作用する隙間の閾値は、各噴霧の流速、微粒化レベル、粒子数密度、雰囲気圧力等によっても変わるため、これらを調整することにより所望の閾値に設定することができる。
【００９８】
さらに、本実施の形態１では、スイッチング噴霧５Ａは、アクシス−スイッチング現象により変形した後、同じ噴孔群３９３に属する別の噴孔３９により生成された噴霧（非スイッチング噴霧４Ａまたはスイッチング噴霧５Ａ）との間で、コアンダ効果の作用により近接化または集合化するように設計される。噴霧同士の近接化により要求される噴霧形状や大きさが達成可能な場合には、必ずしも集合化させなくても良い。
【００９９】
なお、図１１および図１２では、スイッチング噴孔３９２により生成されるスイッチング噴霧５Ａ（５Ｃ）は、アクシス−スイッチング現象により変形した後も、別の噴霧群３９３に属する非スイッチング噴孔３９１により生成される非スイッチング噴霧４Ａとの間でコアンダ効果が作用せず、近接化または集合化しない例について説明した。ただし、スイッチング噴霧５Ａ、５Ｃがアクシス−スイッチング現象により変形した後、別の噴霧群３９３に属する噴孔３９により生成される噴霧との間で近接化または集合化することにより、所望の全体噴霧仕様が実現される場合には、コアンダ効果が作用するようにしても良い。
【０１００】
次に、本実施の形態１に係る燃料噴射弁１により形成される全体噴霧の形状例について、図１３および図１４を用いて説明する。図１３は、図３に示す噴孔プレート３３のスイッチング噴孔３９２ｅおよび各噴孔群３９３ａ、３９３ｂ、３９３ｃ、３９３ｄから噴射された噴霧および噴霧群により形成された全体噴霧を示している。図１３において、（ａ）はスイッチング噴霧がアクシス−スイッチング現象を生じる前、（ｂ）はスイッチング噴霧がアクシス−スイッチング現象を生じた後、の噴射方向に直角な面内の断面形状をそれぞれ示している。
【０１０１】
また、図１４は、図１３に示す全体噴霧を、図１３中、矢印ｘで示す方向から見た場合、すなわち燃料噴射弁１のＺ軸に対して直角な方向から見た場合を示している。図１４において、（ａ）から（ｄ）は、全体噴霧に至るまでの各噴霧群の時系列変化を示している。なお、矢印ｘの方向から見た場合、非スイッチング噴霧４Ａ、スイッチング噴霧５Ａ、および集合噴霧５０は前後に重なっているため、図１４では前方に位置する各噴霧のみを示している。
【０１０２】
図１３及び図１４に示すように、噴孔プレート３３に設けられた５つのスイッチング噴孔３９２から噴射されたスイッチング噴霧５Ａは、各噴孔３９２から所定の距離でアクシス−スイッチング現象が生じ、噴射方向に直角な面内の断面形状における長軸と短軸の方向が変化する。この時、スイッチング噴霧５Ａは、運動量のかなりの割合が空気に移動し、貫徹力が大きく低下する。
【０１０３】
また、噴孔群３９３に属するスイッチング噴孔３９２（図１４ではスイッチング噴孔３９２ｃ、３９２ｄ）から噴射されたスイッチング噴霧５Ａは、アクシス−スイッチング現象が生じた後、同じ噴孔群３９３に属する非スイッチング噴孔３９１（図１４では非スイッチング噴孔３９１ｃ、３９１ｄ）から噴射された非スイッチング噴霧４Ａとの間でコアンダ効果が作用し、それぞれ集合噴霧５０を形成する。
【０１０４】
すなわち、図３に示す噴孔プレート３３により形成される全体噴霧６０は、単独で設けられたスイッチング噴孔３９２ｅにより生成される一つのスイッチング噴霧５Ａと、非スイッチング噴孔３９１とスイッチング噴孔３９２を各一つ含む４つの噴孔群３９３ａ、３９３ｂ、３９３ｃ、３９３ｄにより生成される４つの集合噴霧５０を含んでいる。
【０１０５】
なお、本実施の形態１では、スイッチング噴霧の長軸と短軸の方向が９０度変化する場合について説明したが、これに限定されるものではなく、任意の角度に設定することができる。さらに、スイッチング噴霧５Ａの形状は、断面形状がより偏平であってもよい。長軸と短軸の比が大きい噴霧を生成しようとする場合、長軸方向が分断しない範囲で長軸と短軸の方向が変化するように噴孔仕様を設定すればよい。また、全体噴霧６０の形状は、集合噴霧５０の配置によって、中空円錐形状のみならず、中実円錐形状、三角形状等、種々のバリエーションを実現することが可能である。
【０１０６】
以上のことから、本実施の形態１に係る燃料噴射弁１およびこれを備えた噴霧生成装置によれば、複数の噴孔群３９３により生成される各噴霧群の中に、少なくとも一つのスイッチング噴霧５Ａを含むことにより、アクシス−スイッチング現象を利用して噴霧の噴射方向に直角な面内の断面形状を制御することが可能である。
【０１０７】
また、噴孔群３９３に属するスイッチング噴孔３９２により生成されるスイッチング噴霧５Ａは、アクシス−スイッチング現象を生じた後、該スイッチング噴孔３９２と同じ噴孔群３９３に属する別の噴孔３９により生成される噴霧との間で、コアンダ効果による近接化または集合化を生じるように制御される。これにより、各噴孔群３９３により生成される各噴霧群の噴霧形状および全体噴霧形状を制御することが可能となり、噴霧の微粒化と、噴霧方向、貫徹力、および噴射量分布の設計自由度の向上とを両立させることが可能となる。
【０１０８】
なお、本実施の形態１では、燃料噴射弁１として電磁式の燃料噴射弁を例に挙げて説明したが、駆動源は他の方式でもよく、ピエゾ式、機械式等であっても良い。また、間欠噴射弁、連続噴射弁どちらにも適用することが可能である。
【０１０９】
また、本実施の形態１では、燃料噴射弁１を例に挙げて説明したが、本発明に係る流体噴射弁の用途はこれに限定されるものではない。その他の用途として、塗装、コーティング、農薬散布、洗浄、加湿、スプリンクラー、殺菌用スプレー、冷却等の一般産業用、あるいは農業用、設備用、家庭用、個人用としての各種スプレー等、多岐にわたる。本発明に係る流体噴射弁は、駆動源やノズル形態、噴霧する流体の種類に関わらず、様々な用途の噴霧生成装置に組み入れることが可能である。
【０１１０】
実施の形態２．
図１５は、本発明の実施の形態２に係る火花点火式直噴エンジンを模式的に示す図であり、（ａ）は成層燃焼時（ピストン上昇中）、（ｂ）は均質燃焼時（ピストン下降中）の状態を示している。本実施の形態２に係る火花点火式直噴エンジン６は、燃焼室７に燃料を噴射する燃料噴射弁として、上記実施の形態１に係る燃料噴射弁１を備えたものである。
【０１１１】
図１５に示すように、火花点火式直噴エンジン６の燃焼室７には、吸気ポート８と排気ポート９が連通しており、各々の燃焼室７側の開口部には、ピストン１０と連動して開閉する吸気弁１１と排気弁１２が設けられている。また、燃焼室７の天井の略中央部には燃料噴射弁１が配置され、その側方には点火プラグ１３が配置される。なお、燃料噴射弁１および点火プラグ１３の配置は、これに限定されるものではない。
【０１１２】
本実施の形態２に係る火花点火式直噴エンジン６の燃料噴射弁１の構成は、上記実施の形態１と同様であるので詳細な説明は省略するが（図１、図３参照）、燃料が流れる通路の途中に設けられた弁座３２と、弁座３２と当接および離間可能に設けられ通路の開閉を制御する弁体３５と、弁座３２の下流に設けられ複数の噴孔３９を有する噴孔プレート３３を備えている。
【０１１３】
また、噴孔プレート３３に配置された複数の噴孔群３９３は、少なくとも一つのスイッチング噴孔３９２を含み、スイッチング噴孔３９２により生成されるスイッチング噴霧５Ａは、該噴孔３９２から所定の距離でアクシス−スイッチング現象を生じ、噴射方向に直角な面内の断面形状において長軸と短軸の方向を変化させる。これにより、スイッチング噴霧５Ａの噴射方向に直角な面内の断面形状を変化させることができる。
【０１１４】
さらに、アクシス−スイッチング現象を生じた後、該スイッチング噴孔３９２と同じ噴孔群３９３に属する別の噴孔３９により生成される噴霧との間で、コアンダ効果による近接化または集合化を生じさせることにより、各噴孔群３９３により生成される各噴霧群および全体噴霧６０の形状を、燃焼室７内での混合気形成または燃焼に適した形状に制御する。
【０１１５】
また、スイッチング噴霧５Ａは、変形によって周囲空気との運動量交換が進み、貫徹力が低下することを利用し、所定距離において噴霧の貫徹力を急速に減衰させることが可能である。また、貫徹力が低下することにより周囲空気との混合が進み、微粒化が向上する。さらに、噴射量分布および噴霧方向は、各噴孔仕様によって設定することができる。
【０１１６】
なお、スイッチング噴霧５Ａは、燃料噴射弁１の燃料噴射圧力、または燃焼室７内の圧力、または燃焼室７内の空気流動の少なくとも一つの要因により、アクシス−スイッチング現象を生じるか否かを制御される。
【０１１７】
また、スイッチング噴孔３９２は、短軸に対して長軸が線対称なスイッチング噴霧５Ａを生成するように、その噴孔径、長さ、および傾きを含む噴孔仕様が設定される。これにより、アクシス−スイッチング現象を生じた後も線対称な形状となり、点火プラグ１３近傍に安定して噴霧を停滞させるのに好都合である。
【０１１８】
また、各噴孔群３９３においては、スイッチング噴孔３９２により生成されるスイッチング噴霧５Ａがアクシス−スイッチング現象を生じるまでは、隣接する噴霧との近接化を誘起するコアンダ効果が互いに作用しない間隔で各噴孔３９が配置されると共に、それらの噴孔径、長さ、および傾きを含む噴孔仕様と、流速、粒径、および粒子数密度が設定される。なお、本実施の形態２では、各噴霧群は、スイッチング噴霧５Ａがアクシス−スイッチング現象を生じた後も、隣接する噴霧群との間でコアンダ効果が作用しないように設定されている。
【０１１９】
本実施の形態２に係る火花点火式直噴エンジンには、例えば図３に示す噴孔プレート３３を用いることができる。図３に示すように、噴孔群３９３に属さず単独で設けられたスイッチング噴孔３９２ｅは、アクシス−スイッチング現象により点火プラグ１３近傍を指向するスイッチング噴霧５Ａを生成する。
【０１２０】
本実施の形態２に係る火花点火式直噴エンジン６における成層燃焼時と均質燃焼時の全体噴霧の状態について、図１５を用いて説明する。図１５（ａ）に示す成層燃焼時においては、ピストン１０の上昇により燃焼室７の空気が圧縮され、燃焼室７内の圧力が上昇する。このため、非スイッチング噴霧４Ａおよびスイッチング噴霧５Ａを含む各噴霧群の貫徹力は均質燃焼時よりも小さくなる。
【０１２１】
噴霧群３９３に属するスイッチング噴孔３９２により生成されるスイッチング噴霧５Ａは、筒内を通過する過程でアクシス−スイッチング現象が生じ、該スイッチング噴孔３９２と同じ噴孔群３９３に属する別の噴孔３９により生成される噴霧との間でコアンダ効果による近接化または集合化を生じる。
【０１２２】
また、単独で設けられたスイッチング噴孔３９２ｅにより生成されるスイッチング噴霧５Ａは、点火プラグ１３近傍を通過する過程でアクシス−スイッチング現象を生じ、点火プラグ１３近傍を指向する。同時に貫徹力が大幅に低下し、点火プラグ１３近傍を通過した時点で貫徹力を失い、点火プラグ１３近傍で滞留する。
【０１２３】
すなわち、噴射位置から点火プラグ１３近傍までの所望の距離で、スイッチング噴霧５Ａの貫徹力を急減衰させ、点火プラグ１３近傍において所望の断面形状の濃い混合気を形成することができる。このことは、成層燃焼を成立させるのに好都合である。
【０１２４】
また、各噴霧群は、成層燃焼に適した混合燃焼状態となるように指向させると共に、シリンダライナー１４やピストン１０表面への衝突が抑制されるように貫徹力を設定される。これにより、全体噴霧６０は、シリンダライナー１４やピストン１０表面への衝突を抑制され、且つ、点火プラグ１３近傍に成層燃焼に適した濃い混合気を形成する。
【０１２５】
一方、図１５（ｂ）に示す均質燃焼時においては、ピストン１０の下降と共に吸気弁１１が開となるため、タンブル流等の強い空気流動が燃焼室７内に生じる。このため、各噴霧群のスイッチング噴霧５Ａは、点火プラグ１３近傍を通過する過程で燃焼室７内の空気流動に追随し、アクシス−スイッチング現象を生じず、燃焼室７内全体に拡散する。また、同じ噴孔群３９３に属する噴孔３９により生成された非スイッチング噴霧４Ａとスイッチング噴霧５Ａは、コアンダ効果による近接化または集合化を生じない。
【０１２６】
このように、本実施の形態２に係る火花点火式直噴エンジン６は、成層燃焼時において、点火プラグ１３近傍を指向する噴霧と指向しない噴霧との間に大きな特性差を設けることができる。点火プラグ１３近傍を指向する噴霧としてスイッチング噴霧５Ａを適用することにより、点火プラグ１３との衝突を避けつつ、点火プラグ１３近傍で成層燃焼に適した混合気を形成することが可能である。また、均質燃焼時においては、点火プラグ１３近傍を通過する過程で空気流動に追随させ、アクシス−スイッチング現象を生じず、燃焼室７全体に拡散させることが可能である。
【０１２７】
本実施の形態２によれば、複数の噴孔群３９３により生成される噴霧群において、各噴霧群に含まれる噴霧の少なくとも一つをスイッチング噴霧５Ａとすることにより、アクシス−スイッチング現象を利用して噴霧の噴射方向に直角な面内の断面形状を制御することが可能となり、噴霧の微粒化と、噴霧方向、貫徹力、および噴射量分布の設計自由度の向上とを両立させることが可能な火花点火式直噴エンジン６が得られる。
【０１２８】
実施の形態３．
図１６は、本発明の実施の形態３に係る圧縮着火式直噴エンジンを模式的に示す図であり、（ａ）はピストン上昇時、（ｂ）はピストン下降時の状態を示している。本実施の形態３に係る圧縮着火式直噴エンジン６Ａは、燃焼室７に燃料を噴射する燃料噴射弁として、上記実施の形態１に係る燃料噴射弁１を備えたものである。
【０１２９】
図１６に示すように、圧縮着火式直噴エンジン６Ａの燃焼室７には、吸気ポート８と排気ポート９が連通しており、各々の燃焼室７側の開口部には、ピストン１０と連動して開閉する吸気弁１１と排気弁１２が設けられている。また、燃焼室７の天井の略中央部には燃料噴射弁１が配置される。なお、燃料噴射弁１の配置は、これに限定されるものではない。
【０１３０】
本実施の形態３に係る圧縮着火式直噴エンジン６Ａの燃料噴射弁１の構成は、上記実施の形態１と同様であるので詳細な説明は省略するが（図１、図３参照）、燃料が流れる通路の途中に設けられた弁座３２と、弁座３２と当接および離間可能に設けられ通路の開閉を制御する弁体３５と、弁座３２の下流に設けられ複数の噴孔３９を有する噴孔プレート３３を備えている。
【０１３１】
また、噴孔プレート３３に配置された複数の噴孔群３９３は、少なくとも一つのスイッチング噴孔３９２を含み、スイッチング噴孔３９２により生成されるスイッチング噴霧５Ａは、該噴孔３９２から所定の距離でアクシス−スイッチング現象を生じ、噴射方向に直角な面内の断面形状において長軸と短軸の方向を変化させる。これにより、スイッチング噴霧５Ａの噴射方向に直角な面内の断面形状を変化させることができる。
【０１３２】
さらに、アクシス−スイッチング現象を生じた後、該スイッチング噴孔３９２と同じ噴孔群３９３に属する別の噴孔３９により生成される噴霧との間で、コアンダ効果による近接化または集合化を生じさせることにより、各噴孔群３９３により生成される各噴霧群および全体噴霧６０の形状を、燃焼室７内での混合気形成または燃焼に適した形状に制御する。
【０１３３】
また、スイッチング噴霧５Ａは、変形によって周囲空気との運動量交換が進み、貫徹力が低下することを利用し、所定距離において噴霧の貫徹力を急速に減衰させることが可能である。また、貫徹力が低下することにより周囲空気との混合が進み、微粒化が向上する。さらに、噴射量分布および噴霧方向は、各噴孔仕様によって設定することができる
【０１３４】
なお、スイッチング噴霧５Ａは、燃料噴射弁１の燃料噴射圧力、または燃焼室７内の圧力、または燃焼室７内の空気流動の少なくとも一つの要因により、アクシス−スイッチング現象を生じるか否かを制御される。また、スイッチング噴孔３９２は、短軸に対して長軸が線対称なスイッチング噴霧５Ａを生成するように、その噴孔径、長さ、および傾きを含む噴孔仕様が設定される。
【０１３５】
各噴孔群３９３においては、スイッチング噴孔３９２により生成されるスイッチング噴霧５Ａがアクシス−スイッチング現象を生じるまでは、隣接する噴霧との近接化を誘起するコアンダ効果が互いに作用しない間隔で各噴孔３９が配置されると共に、それらの噴孔径、長さ、および傾きを含む噴孔仕様と、流速、粒径、および粒子数密度が設定される。なお、本実施の形態３では、各噴霧群は、スイッチング噴霧５Ａがアクシス−スイッチング現象を生じた後も、隣接する噴霧群との間でコアンダ効果が作用しないように設定されている。
【０１３６】
本発明の実施の形態３に係る圧縮着火式直噴エンジン６Ａにおけるピストン上昇時とピストン下降時の全体噴霧の状態について、図１６を用いて説明する。図１６（ａ）に示すピストン上昇時において燃料噴射を行う場合、ピストン１０の上昇により燃焼室７の空気が圧縮され、燃焼室７内の圧力が上昇する。このため、各非スイッチング噴霧４Ａおよびスイッチング噴霧５Ａの貫徹力は大気圧下よりも小さくなる。
【０１３７】
スイッチング噴孔３９２により生成されるスイッチング噴霧５Ａは、筒内を通過する過程でアクシス−スイッチング現象が生じ、該スイッチング噴孔３９２と同じ噴孔群３９３に属する別の噴孔３９により生成される噴霧との間でコアンダ効果による近接化または集合化を生じる。これにより、各噴霧群の貫徹力は大幅に低下し、圧縮上死点付近の燃焼室７内において、コンパクトな全体噴霧６０を形成する。
【０１３８】
なお、圧縮着火式直噴エンジンは、圧縮上死点付近における圧縮温度及び圧力が非常に高くなり、この状態で燃料が噴射された場合、適切な混合気が形成される前に着火し、局所的で不均一な燃焼が起こることがある。これに対し、本実施の形態３に係る圧縮着火式直噴エンジン６Ａは、噴射位置からシリンダ内面までの所望の距離でスイッチング噴霧５Ａの貫徹力を急減衰させ、所望の断面形状の濃い混合気を形成することができ、筒内に噴霧を拡げて圧縮着火燃焼を成立させるのに好都合である。
【０１３９】
また、各噴霧群は、圧縮着火燃焼に適した混合状態となるように指向されると共に、シリンダライナー１４やピストン１０表面への衝突が抑制されるように貫徹力を設定される。これにより、全体噴霧６０は、シリンダライナー１４やピストン１０表面への衝突を抑制され、且つ、圧縮着火燃焼に適した混合気を形成する。
【０１４０】
一方、図１６（ｂ）に示すピストン下降時においては、ピストン１０の下降と共に吸気弁１１が開となるため、タンブル流等の強い空気流動が燃焼室７内に生じる。スイッチング噴霧５Ａは、燃焼室７内を通過する過程で空気流動に追随し、アクシス−スイッチング現象を生じず、燃焼室７内全体に拡散する。また、同じ噴孔群３９３に属する噴孔３９により生成された非スイッチング噴霧４Ａとスイッチング噴霧５Ａは、コアンダ効果による近接化または集合化を生じない。
【０１４１】
このように、本実施の形態３に係る圧縮着火式直噴エンジン６Ａは、ピストン上昇時においてはスイッチング噴霧５Ａのアクシス−スイッチング現象を利用して、圧縮着火燃焼に適した混合気を形成することが可能である。また、ピストン下降時においては、燃焼室７内を通過する過程で空気流動に追随させ、アクシス−スイッチング現象を生じず、燃焼室７全体に拡散させることが可能である。
【０１４２】
本実施の形態３によれば、複数の噴孔群３９３により生成される噴霧群において、各噴霧群に含まれる噴霧の少なくとも一つをスイッチング噴霧５Ａとすることにより、アクシス−スイッチング現象を利用して噴霧の噴射方向に直角な面内の断面形状を制御することが可能となり、噴霧の微粒化と、噴霧方向、貫徹力、および噴射量分布の設計自由度の向上とを両立させることが可能な圧縮着火式直噴エンジン６Ａが得られる。
【０１４３】
なお、本発明は、その発明の範囲内において、各実施の形態を自由に組み合わせたり、各実施の形態を適宜、変形、省略したりすることが可能である。また、本発明に係る燃料噴射弁１の適用は、火花点火式直噴エンジン６および圧縮着火式直噴エンジン６Ａに限定されるものではなく、他方式のエンジンにも適用することができる。
【０１４４】
例えば、本発明に係る燃料噴射弁１は、予混合圧縮着火（ＨＣＣＩ)エンジンに適用することができる。ＨＣＣＩエンジンは、ガソリンを用いてディーゼルエンジンのような圧縮着火を実現し、ＰＭやＮＯｘを低減しながら超低燃費を実現することを目標としている。このＨＣＣＩエンジンにおいて運転領域を拡大するためには、着火の制御が必要であり、燃焼室内での燃料噴霧の拡散状態、混合気形成状態が非常に重要な要因である。本発明による噴霧コントロールは、この燃焼コンセプトの成立に非常に効果的な役割を果たすことができる。
【０１４５】
さらに、本発明に係る燃料噴射弁１は、火花点火式ポート噴射エンジンに適用することができる。その場合、吸気一弁、二弁および三弁に対応する一スプレー、二スプレーおよび三スプレーについて、断面形状や貫徹力あるいは微粒化の程度の異なる噴霧群を組み合わせることにより、所望の噴霧仕様を実現可能である。
【産業上の利用可能性】
【０１４６】
本発明は、流体噴射弁、特にエンジンに搭載される燃料噴射弁、およびこれを備えた噴霧生成装置として利用することができる。
【符号の説明】
【０１４７】
１  燃料噴射弁、２  ソレノイド装置、３  弁装置、
４ａ、４ｂ、４ｃ、５ａ、５ｂ、５ｃ  噴流、
４Ａ、４Ｂ、４Ｃ  非スイッチング噴霧、５Ａ、５Ｂ、５Ｃ  スイッチング噴霧、
６  火花点火式直噴エンジン、６Ａ  圧縮着火式直噴エンジン、７  燃焼室、
８  吸気ポート、９  排気ポート、１０  ピストン、１１  吸気弁、１２  排気弁、
１３  点火プラグ、１４  シリンダライナー、２１  ハウジング、２２  コア、
２３  コイル、２４  アマチュア、３０  液膜流、３１  弁本体、３２  弁座、
３２ａ  弁座面、３３  噴孔プレート、３４  カバープレート、３４ａ  天面、
３４ｂ  薄肉部、３４ｃ  小径部、３４ｄ  大径部、３５  弁体、３６  圧縮バネ、
３７  ロッド、３８  ボール、３８ａ  面取部、３８ｂ  平面部、３８ｃ  曲面部、
３９  噴孔、４０、５０  集合噴霧、６０全体噴霧、
３９１  非スイッチング噴孔、３９２  スイッチング噴孔、３９３  噴孔群。
【図１】
0006000296.tif 000002
【図２】
0006000296.tif 000003
【図３】
0006000296.tif 000004
【図４】
0006000296.tif 000005
【図５】
0006000296.tif 000006
【図６】
0006000296.tif 000007
【図７】
0006000296.tif 000008
【図８】
0006000296.tif 000009
【図９】
0006000296.tif 000010
【図１０】
0006000296.tif 000011
【図１１】
0006000296.tif 000012
【図１２】
0006000296.tif 000013
【図１３】
0006000296.tif 000014
【図１４】
0006000296.tif 000015
【図１５】
0006000296.tif 000016
【図１６】
0006000296.tif 000017